(57)【要約】【課題】固定フード装着部材との間の固定力を向上させた固定フードを具備するリール脚固定装置を装着した釣竿を提供する。【解決手段】リール脚固定装置３は、リールシート本体１０に装着可能な大きさの環状形状を有し、その周面に略均等間隔で形成された少なくとも２つの孔部１５を有するフードリング１３と、孔部１５に嵌入されたスプリングピン１６とを有する。孔部１５は、リールシート本体１０に略均等間隔で形成された嵌入穴１９と位置合わせされており、スプリングピン１６が孔部１５、及び嵌入穴１９に嵌入、接着されることにより、フードリング１３とリールシート本体１０とが固着される。【選択図】    図２
2005102551.tif 000002
【特許請求の範囲】
【請求項１】
移動フード及び固定フードを有するリール脚固定装置を備え、前記固定フードが固定フード装着部材上に装着された釣竿であって、
前記固定フードは、
前記固定フード装着部材に装着可能な大きさの環状形状を有し、その周面に略均等間隔で形成された少なくとも２つの孔部を有するフード本体と、
前記孔部に嵌入されたスプリングピンと、
を有し、
前記孔部は、前記固定フード装着部材に略均等間隔で形成された嵌入穴と位置合わせされており、前記スプリングピンが前記孔部、及び嵌入穴に嵌入されることにより、前記固定フードと前記固定フード装着部材とが固着されたことを特徴とする釣竿。
【請求項２】
前記固定フード装着部材は、リールシート又はグリップであることを特徴とする請求項１記載の釣竿。
【請求項３】
前記固定フードは、前記フード本体の外周に前記スプリングピンの端部を隠蔽する隠蔽部材を有することを特徴とする請求項１又は請求項２記載の釣竿。
【請求項４】
前記隠蔽部材の表面は、凹凸を有するように構成されていることを特徴とする請求項３記載の釣竿。
【発明の詳細な説明】
【技術分野】
【０００１】
本発明は、各種の魚釣用リールを着脱するリール脚固定装置を備えた釣竿に関する。
【背景技術】
【０００２】
一般的に釣竿には、例えば、特許文献１に開示されているようなリール脚固定装置が設けられており、この種のリール脚固定装置は、リール脚が載置されるリール脚載置面と、このリール脚載置面の軸方向に沿って互いに対向して配設され、リール脚を受け入れる一対のフード（移動フード及び固定フード）とを備えて構成されている。
【０００３】
固定フードは、釣竿に対して別途装着されるリールシート或いは釣竿本体、もしくは、後方グリップのように釣竿本体に一体的に装着される部材（以下、固定フード装着部材）に対して嵌入、接着等によって固定される。例えば、環状のリールシートの外周面に対して環状形状のフードリングが被せられ、リールシートの外周面とフードリングの内周面とを接着剤で接着することによりフードリングは固定されている。
【特許文献１】特開平１０−２３４２７５号
【発明の開示】
【発明が解決しようとする課題】
【０００４】
リール脚固定装置には、上述したように、リール脚を載置する平坦面であるリール脚載置面が形成されており、このリール脚載置面の後端側（先端側の場合もある）に、固定フードとなるフードリングを装着することで、リール脚載置面とフードリングの内周面との間にリール脚を挿入する空間が形成される。
【０００５】
従来の釣竿のように、接着剤によって、フードリングと固定フード装着部材とを接着する場合、接着剤がフードリングとリール脚載置面との間の空間にはみ出さないようにするために、リール脚載置面を除いた固定フード装着部材の外周面に接着剤を塗布する。
【０００６】
このため、従来の釣竿においては、固定フード装着部材の外周面全面でフードリングの内周面と接着することができておらず、両者の固定力が弱いという問題がある。特に、リールには、巻き上げ操作に伴う回転力や軸方向への力が作用するが、上述した接着剤による両者の固定では、回転応力やずれ応力などには弱く、釣竿の使用時に固定フードが固定フード装着部材からずれてしまうことがあり、使用者が安心して釣竿を把持できないという問題もある。
【０００７】
本発明はかかる点に鑑みてなされたものであり、固定フード装着部材との間の固定力を向上させた固定フードを具備するリール脚固定装置を装着した釣竿を提供することを目的とする。
【課題を解決するための手段】
【０００８】
上記した目的を達成するために、本発明の釣竿は、移動フード及び固定フードを有するリール脚固定装置を備え、前記固定フードが固定フード装着部材上に装着された構成であって、前記固定フードは、前記固定フード装着部材に装着可能な大きさの環状形状を有し、その周面に略均等間隔で形成された少なくとも２つの孔部を有するフード本体と、前記孔部に嵌入されたスプリングピンと、を有し、前記孔部は、前記固定フード装着部材に略均等間隔で形成された嵌入穴と位置合わせされており、前記スプリングピンが前記孔部、及び嵌入穴に嵌入されることにより、前記固定フードと前記固定フード装着部材とが固着されたことを特徴とする。
【０００９】
このような構成によれば、フード本体と固定フード装着部材とがスプリングピンにより固定されているので、フード本体と固定フード装着部材とが確実に固定される。しかも、固定部分は、略均等間隔で２箇所以上設けられるため、釣竿の使用中に固定フードが回転したりずれたりすることが確実に防止される。また、両者の固定に、周方向に弾力があり径方向に拡がることが可能なスプリングピンを用いることで、通常のネジの固定による構成と比較して、緩み難く、強固な固着状態が得られるようになる。
【発明の効果】
【００１０】
本発明によれば、リール脚固定装置における固定フードと固定フード装着部材とが確実に固定されるようになり、この結果、釣竿の使用中に固定フードが回転したりずれたりすることが防止され、使用者が安心して使用することが可能な釣竿が得られる。
【発明を実施するための最良の形態】
【００１１】
以下、本発明の実施形態について図面を参照しながら説明する。  
図１は、本発明に係る釣竿の概略構成を示す図である。図１に示す釣竿１は、複数の竿管１ａと、これら竿管１ａの元竿側に取り付けられたグリップ２と、このグリップ２よりも先端側に装着されたリール脚固定装置３とを備えて構成されている。リール脚固定装置３の移動フード１１及び固定フード１２間には、常法に従って各種のリール４が着脱可能に装着されるようになっている。この場合、上記した釣竿１は、特別な構成に限定されることはなく、いわゆる振り出し式、並継式はもちろん、図に示すような外ガイド方式や、或いは中通し式等、各種形態として実施することが可能である。
【００１２】
図２は、図１に示すリール脚固定装置の拡大図であり、（ａ）は部分縦断面図、（ｂ）は図（ａ）のＡ−Ａ線に沿う断面図である。リール脚固定装置３は、釣竿１の竿管１ａの外周に嵌入固定された筒状のリールシート９を備えて構成されており、固定フード１２は、リールシート９のリールシート本体１０の外側に装着された環状形状を有するフードリング（フード本体）１３と、このフードリング１３の外周面上に略均等間隔に形成された孔部１５と、この孔部１５内に嵌入及び接着されたスプリングピン１６とから主に構成されている。
【００１３】
固定フード１２が装着される固定フード装着部材となるリールシート本体１０は、天然木、強化木、合成樹脂などによって、竿管１ａとは別体に形成されており、竿管１ａに接着剤等によって固定されている。なお、リールシート本体１０は、竿管１ａと一体的に形成されるものであっても良く、それ以外にも、ＳＵＳ、ＢＳ、Ａｌなどの金属や合成樹脂によって板状に形成して竿管１ａに糸止め、接着などによって固定されていても良い。
【００１４】
また、リールシート本体１０には、リール脚を載置可能にする平坦面であるリール脚載置面１４が設けられている。このリール脚載置面１４は、リール脚の固定状態を維持し、釣竿操作に支障のない程度の硬質部材、例えばＳＵＳ、ＢＳ、Ａｌなどの金属、合成樹脂、セラミックス、木材、石材などで構成されている。もちろん、リール脚載置面１４は、リールシート本体１０と共に一体形成されていても良い。
【００１５】
前記フードリング１３は、ＳＵＳ、ＢＳ、Ａｌなどの金属で環状に形成されており、リール脚載置面１４を有するリールシート本体１０の外側に固定されている。このため、図（ｂ）に示すように、フードリング１３をリールシート本体１０に固定した場合には、フードリング１３の内周面とリール脚載置面１４との間で、リール脚が挿入される脚受入部１７が形成される。
【００１６】
フードリング１３の外周面には、ドリル等を用いて複数の孔部１５が形成されている。この孔部１５は、後述するスプリングピン１６の径と同じか又はそれよりも若干大きいサイズで形成される。また、この孔部１５を形成する位置は、リール脚の挿入に支障を与えないように、リール脚載置面１４に対応する領域以外の領域とし、孔部１５の形成間隔は、スプリングピン１６でリールシート本体１０とフードリング１３とを安定して固定するために略均等にすることが好ましい。具体的には、図に示すように、両者の固定が確実に成され、かく作業性が低下しないように、リール脚載置面１４から均等に離れて互いに対象な位置（略１８０°間隔）に２つ形成しておくことが望ましい。なお、孔部１５の数（スプリングピン１６の数）については、両者をスプリングピン１６で安定して固定することができれば、特に制限されることは無い。
【００１７】
また、リールシート本体１０にも、上記と同様にスプリングピン１６を嵌入する嵌入穴１９が、穴部１５と位置合わせして対応する位置に形成されている。この嵌入穴１９もスプリングピン１６の径と同じか又はそれよりも若干大きいサイズで形成される。そして、これら位置合わせして形成された穴部１５及び嵌入穴１９には、スプリングピン１６が嵌入される。
【００１８】
ここで、図３を参照して、上記したスプリングピン１６の構成について説明する。  
図（ａ）は、スプリングピンの側面図、（ｂ）は、その正面図である。スプリングピン１６は、断面略Ｃ字形状を有しており、軸方向に沿って間隙部１６ａを備えている。この間隙部１６ａを有することにより、全体として周方向に弾性を発揮することができ、径方向に拡がって穴部や嵌入穴の内周面に圧着することが可能となる。具体的に、スプリングピン１６の長さは、フードリング１３の肉厚の２倍以上であり、図２（ｂ）に示すリールシート本体１０の中心（ブランク部：中央の白抜き部分）に達しない長さであることが望ましい。本実施の形態では、スプリングピン１６の長さＬは約６ｍｍ、その径Ｄは約１．５ｍｍで形成されており、ＪＩＳ規格におけるＢ２８０８−１．５×６−Ｈ−Ｎ−Ｃが使用される。このように、フードリング１３に形成される孔部１５、及びリールシート本体１０に形成される嵌入穴１９にスプリングピン１６を嵌入することにより（嵌入のみでも良いが、更に接着することが好ましい）、スプリングピン１６でフードリング１３とリールシート本体１０とを確実に固定することができ、従来の釣竿よりもリールシートにおける固定フードの固定力を向上させることができる。
【００１９】
図２に示すように、嵌入されるスプリングピン１６は、その端部がフードリング１３の外周面から突出しないようにすることが望ましく、その端部がフードリング１３の外周面とほぼ面一であることが好ましい。
【００２０】
また、フードリング１３の外周には、その両端部（竿管側及びグリップ側）に、外側に突出する凸部（フランジ）１３ａが形成されており、それらの間に形成される凹所となるフードリング１３の外周には、巻糸１３ｂが巻回されている。この凹所及びこれに巻回される巻糸１３ｂにより、径方向に膨らみを形成することなくフードリング１３の外周面に見えるスプリングピン１６の端部を隠蔽することができ、これによって、固定フード部分の外観品位を向上させると共に、スプリングピン１６の抜けを防止することができる。なお、巻糸１３ｂを巻回してスプリングピン１６を隠蔽する場合、巻回された巻糸１３ｂの上にクリア塗装を施すことが好ましい。このクリア塗装により、使用した糸色を生かすことができ、しかも巻糸１３ｂを固定して糸がずれることを防止できる。
【００２１】
巻糸１３ｂの巻回方法としては、図２（ａ）に示すような平行巻きに限定されず、巻糸１３ｂを交差状に巻回する方法であっても良い。特に、巻糸１３ｂを交差状に巻回すると、フードリング外面に施した塗装色が巻糸の隙間から露出して変わった色合いとなり、デザイン上のバリエーションを増やすことができる。
【００２２】
フードリング１３の外周面のスプリングピン１６を隠蔽する方法としては、巻糸１３ｂに限定されず、塗装を施したり、チューブを被せたり、シールを施したりする方法などが挙げられる。なお、隠蔽部材として、上述したような巻糸１３ｂを用いる場合には、巻回された糸により固定フード表面に凹凸が形成されるので、使用時の滑り止め作用を発揮することができる。また、固定フード表面が凹凸を有するようにするために、スプリングピン１６を隠蔽した塗膜、チューブ、シールなどに粗面化処理を施しても良い。
【００２３】
次に、図４〜図５を用いて、上記したリール脚固定装置における固定フードの固定方法について説明する。  
図４に示すように、一方の端部に竿管１ａが取り付けられ、他方の端部にグリップ２が取り付けられた釣竿において、両者の間にリール脚固定装置３を構成するリールシート９が装着されている。リールシート９のリールシート本体１０には、穂先側に移動フード２０が螺合関係によって軸方向に移動可能に装着されており、グリップ側に固定フード用の接着面を形成し、ここにフードリング１３を接着固定する。この場合、フードリング１３を装着する場合、まず、リールシート本体１０の固定フード装着領域を紙やすりで削り、その粗面化した領域に接着剤を塗布し、そこにフードリング１３を接着する。なお、リールシート９には、リール脚載置面１４が形成されており、フードリング１３の周面には、スプリングピン１６を嵌入する穴部１５が形成されている。また、リールシート本体１０には、穴部１５に対応して嵌入穴が形成されており、両者を接着固定する際には、位置合わせされる。
【００２４】
次いで、穴部１５に、上記したスプリングピン１６を接着し嵌入する。具体的には、まず、接着剤をスプリングピンの外周面に塗布し、ペンチなどの把持具を用いてスプリングピンを把持して、その先端を穴部１５に圧入する。その後、ハンドプレスなどの圧入治具を用いてスプリングピンをその端部がフードリング１３の外周面の位置にくるまで嵌入する。次いで、フードリング１３の外周面の位置にあるスプリングピンの端部に再び接着剤を塗布して穴部１５を埋める。このようにしてフードリング１３に形成された全ての穴部１５にスプリングピンを接着、嵌入する。その後、穴部１５から接着剤が突出しないように、紙やすり等で平坦化処理を行う。このようにしてフードリング１３とリールシート本体１０とを固着する。
【００２５】
次に、図５に示すように、フードリング１３の凸部（フランジ）１３ａ間の凹部に巻糸（ここでは、３０番の糸を使用する）１３ｂを巻回して、スプリングピンを嵌入した穴部を隠蔽する。また、巻回された巻糸１３ｂ上にクリア塗装を施す。この場合、移動フードのフードリングの外周にも、同様に巻糸１３ｂを巻回することでデザイン上の統一が図れる。
【００２６】
図６は、本発明に係る釣竿の使用状態を説明した図である。  
上記したような固定フードを有するリール脚固定装置３にリール４を取り付ける。この釣竿は、図６に示すように、手３０でリール脚固定装置部分を把持して使用される。このとき、上述したように、固定フード１２のフードリングとリールシート本体とがスプリングピンにより固定されているので、従来の接着のみによる固定と比較して、リールシート９に対する固定フード１２の回転やずれなどが防止され、両者は確実に固定されている。また、フードリングの外周には、巻糸１３ｂが巻回されているので、スプリングピンが隠蔽されており、スプリングピンの抜けを防止することができると共に、外観品位も保つことができる。さらに、巻糸１３ｂの巻回のために、フードリングの表面は凹凸が形成されているので、使用時に手３０が滑ることがなく、使用者が安定して釣竿を把持することができる。
【００２７】
以上、本発明の実施形態について説明したが、本発明は、種々変形して実施することが可能である。上記した実施の形態においては、固定フード装着部材がリールシート（リールシート本体）である場合について説明しているが、本発明は、固定フード装着部材がグリップ（後方グリップの先端部）である場合にも同様に適用することが可能である。例えば、図７に示すように、グリップ３２上に固定フード３３のフードリング３４が装着され、このフードリング３４とグリップ３２とに、それぞれ位置合わせされた穴部及び嵌入穴が形成されて、そこにスプリングピンが接着・嵌入されている。また、上記した実施形態と同様、穴部は巻糸３５によって隠蔽されている。これにより、フードリング３４とグリップ３２とが確実に固定されており、この場合においても、釣竿の使用中に固定フードが回転したりずれたりすることを防止して、使用者が安心して使用することが可能となる。また、上記した実施の形態において、使用された部材の材質、寸法、数などについてはこれに限定されず、適宜変更して実施することができる。
【図面の簡単な説明】
【００２８】
【図１】本発明に係る釣竿の概略構成を示す図。
【図２】本発明に係る釣竿のリール脚固定装置における固定フードを示す図であり、（ａ）は部分縦断面図、（ｂ）は図（ａ）のＡ−Ａ線に沿う断面図。
【図３】本発明に係る釣竿のリール脚固定装置における固定フードに用いるスプリングピンを示す図であり、（ａ）は側面図、（ｂ）は正面図。
【図４】本発明に係る釣竿のリール脚固定装置における固定フードの装着方法を説明するための図（その１）。
【図５】本発明に係る釣竿のリール脚固定装置における固定フードの装着方法を説明するための図（その２）。
【図６】本発明に係る釣竿の使用状態を説明するための図。
【図７】本発明に係る釣竿のリール脚固定装置における固定フードの他の変形例を示す図。
【符号の説明】
【００２９】
１  釣竿
３  リール脚固定装置
９  リールシート
１０  リールシート本体
１２  固定フード
１３フードリング（フード本体）
１５  孔部
１６  スプリングピン
１９  嵌入穴
【図１】
2005102551.tif 000003
【図２】
2005102551.tif 000004
【図３】
2005102551.tif 000005
【図４】
2005102551.tif 000006
【図５】
2005102551.tif 000007
【図６】
2005102551.tif 000008
【図７】
2005102551.tif 000009